(57)【特許請求の範囲】
【請求項１】
アドレッシング可能な複数個の画素形成素子を有するディスプレイアセンブリに対し、パターン層をなす複数個の色フィルタ素子を整列させる方法であって、
その群に属する個々の画素形成素子のアクティべーション状態が変化するよう、第１群に属する画素形成素子をアクティベートするステップと、
上記ディスプレイアセンブリに対して相対的に移動可能なセンサを用いて、上記第１群に属していてアクティベートされている画素形成素子を利用して上記パターン層をなす複数個の色フィルタ素子の上記ディスプレイアセンブリに対する目標整列状態を決定するステップと、
上記センサと、上記センサと一緒に移動可能なプリントヘッドと、の相対的な位置を検出し、上記センサと上記プリンタヘッドとの相対的な位置の歪みを決定するステップと、
上記目標整列状態及び上記歪みに応じて、上記プリンタヘッドを用いて上記パターン層をなす複数個の色フィルタ素子を上記ディスプレイアセンブリに対し整列させるステップと、
を有する方法。
【請求項２】
請求項１記載の方法であって、上記プリンタヘッドから出力される輻射ビームを検出するパターンを備えるビームファインダを用いて、上記プリンタヘッドから上記ビームファインダへ輻射ビームを照射して上記センサで輻射ビームによる信号を検出し、上記プリンタヘッド及び上記センサの移動に伴う当該信号の変化に応じて上記センサと上記プリンタヘッドとの位置の歪みを決定する方法。
【請求項３】
請求項１記載の方法であって、上記アクティベートステップが、上記第１群に属する個々の画素形成素子に対し一種類又は複数種類のアクティべーション信号を供給するステップを含む方法。
【発明の詳細な説明】
【技術分野】
【０００１】
本発明は多色表示装置で使用される色フィルタ、特にパターン層をなす複数個の色フィルタ素子をディスプレイアセンブリの表面に対し整列させる方法に関する。本方法は、例えば液晶ディスプレイや電気泳動ディスプレイの製造に役立つものである。
【背景技術】
【０００２】
今日では、可視情報を表示可能な電子式カラーディスプレイが様々な方式で実現されている。それらのディスプレイでは、可視情報の一種である色情報が色フィルタによって生成されることが多い。まず、液晶ディスプレイ（ＬＣＤ）は、２枚の透明電極間に液晶素材層を挟み込んだ構成を有している。その透明電極間への電界印加で液晶分子の整列状態、ひいてはそのディスプレイの輻射光透過特性を変化させる仕組みであるため、液晶ディスプレイでは、ディスプレイから部位選択的に出射される光に色フィルタを適用して色情報を表現させることが多い。
【０００３】
次に、有機発光ダイオード（ＯＬＥＤ）は発光ダイオード（ＬＥＤ）の一種であり、有機素材で形成された電界発光層（ＯＬＥＤ素材層）を有している。これを用いたディスプレイは、バックライト照明器が原則として必要ないため、液晶ディスプレイ等の他種ディスプレイ比べ低消費電力且つ薄型であるのが普通である。カラーのＯＬＥＤディスプレイは幾通りかの方式で構成することができ、そのなかには有色光を発するＯＬＥＤ素材を使用するため受動的な色フィルタが不要な方式もあるが、白色ＯＬＥＤ光源を使用する方式では色情報表示のため色フィルタが併用されている。
【０００４】
そして、電気泳動ディスプレイでは、通常、電界を用い荷電粒子を移動させることで、そのディスプレイを組成する画素の透過／反射状態を変化させている。電気泳動ディスプレイは、表示用の画素をバックライトで照明するタイプの従来型ディスプレイと違い可撓性、外光反射性等に優れていて、その点で通常の紙と似ているため電子ペーパ、ｅペーパ等と呼ばれることがある。電気泳動ディスプレイの多くでは、エネルギを追加供給することなく、表示されている画像をそのまま表示させ続けることができる。電気泳動ディスプレイで色情報を表示させる手法としては、有色荷電粒子を使用する手法、有色電極を使用する手法等、様々な手法が提案されており、そのなかには色フィルタを使用する手法も含まれている。
【０００５】
これら、ディスプレイパネル内で使用される色フィルタは、複数個の色フィルタ素子をあるパターンに従い配置した構成を採るのが普通である。そのパターン即ち色フィルタ素子パターンは、例えばレッド（Ｒ）、グリーン（Ｇ）及びブルー（Ｂ）の各色フィルタ素子で形成されるものであるが、その他の色、例えばシアン、マゼンタ及びイエローの各色フィルタ素子で形成することもできる。更に、色フィルタ素子の並べ方には様々なバリエーションがある。図１Ａに、従来からあるストライプ配置の色フィルタ１０の一部を示す。この配置では、複数個のＲ色フィルタ素子１２Ａからなるカラム、複数個のＧ色フィルタ素子１２Ｂからなるカラム及び複数個のＢ色フィルタ素子１２Ｃからなるカラムが、その表面１３上に順繰りに現れている。以下、素子１２Ａ、１２Ｂ、１２Ｃ等の色フィルタ素子をまとめて色フィルタ素子１２と呼ぶことにする。図中の色フィルタ１０は液晶ディスプレイ用の色フィルタであり、そのため色フィルタ用ブラックマトリクス１５（略してマトリクス１５）を備えているが、電気泳動ディスプレイ等の反射型ディスプレイではマトリクス１５は必要ない。この図では、細長い色フィルタ素子ストライプをマトリクスセル１７（略してセル１７）で分断することで、個々の色フィルタ素子１２が形成されている。
【０００６】
色フィルタにおける色フィルタ素子配置は、図１Ａに例示したストライプ配置に限らず様々な配置にすることができる。例えば、複数個の色フィルタ素子がカラム沿い方向及びロー沿い方向の双方に沿い順繰りに現れるモザイク配置や、種類の異なる色フィルタ素子が三角形をなすデルタ配置（図示せず）である。これら、モザイク配置やデルタ配置は、個々の色フィルタ素子が島のように見えるアイランド配置の一種である。図１Ｂに、従来からあるモザイク配置の色フィルタ１０の一部を示す。この配置では、色フィルタ素子１２Ａ、１２Ｂ及び１２Ｃで複数本のカラムが形成されており、それらの素子１２Ａ、１２Ｂ及び１２Ｃがカラム沿い方向及びロー沿い方向の双方に沿い順繰りに現れている。なお、ここでは方形の色フィルタ素子で形成されるパターンを示したが、他の形状を有する色フィルタ素子、例えば三角形や山稜形の色フィルタ素子で形成されたパターンも知られている。
【０００７】
色フィルタは、そのディスプレイで使用されている様々な基板上に様々な手法で形成することができる。既存の手法としては、例えばフォトリソグラフィプロセス、電気化学的プロセス、（インクジェット印刷等の）印刷プロセス等がある。レーザ誘起熱転写プロセス等の直接露出プロセスも提案されている。例えばレーザ誘起熱転写プロセスを用い色フィルタを製造する製造手法では、まずレシーバ要素の一種である色フィルタ基板にドナー要素を載せ、それを像状露光することでドナー要素からレシーバ要素へと着色剤を部位選択的に転写させる。着色剤をレシーバ要素に転写させる手段としては、レーザビーム等の輻射ビームを使用するのが望ましい。低コストで寸法が小さいダイオードレーザが特に適している。
【０００８】
なお、使用できるレーザ誘起熱転写プロセスには、レーザ誘起ダイ転写プロセス、レーザ誘起メルト転写プロセス、レーザ誘起アブレーション転写プロセス、レーザ誘起マス転写プロセス等がある。レーザ誘起熱転写プロセスで転写できる着色剤には、ある種の顔料ベース組成着色剤やある種の染料ベース組成着色剤がある。他の要素例えば一種類又は複数種類のバインダを転写することもできる。
【０００９】
こうしたカラーディスプレイで使用される画素のアクティべーションは、そのディスプレイを構成している電極構造その他の能動コンポーネント（画素形成素子）によって制御されるので、そのディスプレイで最終的に得られる画質は、画素形成素子とそれに対応する色フィルタ素子との間の整列状態を概ね目標整列状態にすることができるか否かに強く依存している。しかし、目標整列状態の実現を妨げる要因は数多くある。例えば、ディスプレイ内部材ではその基板素材としてガラスが広く用いられているが、別種素材例えばプラスチックからなる基板の使用が望まれることがある。特に、可撓性の高さ、コストの低さ等の特質がそのディスプレイに求められる場合である。しかし、ガラスに比べてプラスチックの方が、温度変化、湿度変化等の環境変化に曝されたときの寸法変化や歪が大きくなりやすい。プラスチック基板には、ディスプレイ製造時に実行される様々な処理工程の影響による寸法変化や歪が生じやすいものもある。両方の寸法変化乃至歪が共に現れるものもある。このように、ディスプレイアセンブリ表面に対し、パターン層をなす複数個の色フィルタ素子を所望の如く整列させること（例えば整列するよう形成すること）が望まれてはいるが、目標整列状態に従い色フィルタを整列させることは難しいものである。
【００１０】
ディスプレイアセンブリに対する色フィルタ層の最終的な整列状態を制約する要因は、各種ディスプレイ内基板の素材特性だけではない。例えば、そのディスプレイの光学的仕様を満たすため各種ディスプレイ内電極が実質的に透明又は無色でなければならない場合、その電極に対する位置合わせを画像ベースで行うのは難しいものである。逆に、ディスプレイ構成部材のどれかに幾ばくかでも不透明性があると、所望の色フィルタ整列状態が実現されていても判らないことがある。例えば電気泳動ディスプレイでは、画素電極間に配される電気泳動素材が不透明であるため、色フィルタ層と画素電極との間に所望の整列状態が実現していても判らないことがある。
【先行技術文献】
【特許文献】
【００１１】
【特許文献１】米国特許第６９５７７７３号明細書
【発明の概要】
【発明が解決しようとする課題】
【００１２】
従って、パターン層をなす複数個の色フィルタ素子とディスプレイアセンブリのその他構成要素との間に所望の整列状態を成立させる、実効的且つ現実的な方法及びシステムが求められている。
【００１３】
また、そのディスプレイアセンブリのその他構成要素に対し所望の整列状態が成立するよう、パターン層をなす複数個の色フィルタ素子をディスプレイアセンブリ上に形成する、実効的且つ現実的な方法及びシステムが求められている。
【課題を解決するための手段】
【００１４】
ここに、本発明はディスプレイの製造、例えば反射型ディスプレイ、電気泳動ディスプレイ、液晶ディスプレイ等の製造に関する。本発明の一実施形態に係る方法では、プリントヘッド・ディスプレイアセンブリ間に相対運動をもたらしつつ、パターン層をなすよう複数個の色フィルタ素子をディスプレイアセンブリ上に形成する。それら色フィルタ素子の形成は、例えば、レーザ誘起熱転写プロセス（レーザ誘起ダイ転写プロセスやレーザ誘起マス転写プロセス）等のプロセスでドナー要素からディスプレイアセンブリ表面へと素材を転写することで、或いはインクジェットプロセスでディスプレイアセンブリ表面に画像形成素材を転写することで行う。
【００１５】
本発明の他の実施形態は、アドレッシング可能な複数個の画素形成素子を有するディスプレイアセンブリに対し、パターン層をなす複数個の色フィルタ素子を整列させる方法である。本方法では、その群に属する個々の画素形成素子のアクティべーション状態が変化するよう、第１群に属する画素形成素子をアクティベートする。アクティべーション状態とは例えばオン状態のことである。変化させる先のアクティべーション状態は、例えば、第２群に属する画素形成素子のそれとは異なるアクティべーション状態とする。アクティべーション状態は、例えば、個々の画素形成素子に対し一種類又は複数種類のアクティべーション信号を供給することで変化させる。次いで、第１群に属していてアクティベートされている画素形成素子、第２群に属する画素形成素子又はその双方を利用し、パターン層をなす複数個の色フィルタ素子のディスプレイアセンブリに対する目標整列状態を決定する。そして、その目標整列状態に従い、当該パターン層をなす複数個の色フィルタ素子をディスプレイアセンブリに対し整列させる。
【００１６】
本方法では、例えば、ディスプレイアセンブリ表面から部位選択的に光が出射されるよう、或いはディスプレイアセンブリの部位毎に別様に光が反射されるよう、第１群に属する画素形成素子を第２群に属する画素形成素子とは別様にアクティベートする。
【００１７】
色フィルタ素子は、パターン層が形成されるよう上掲の諸プロセスのうちいずれかでディスプレイアセンブリの表面に形成するとよい。この色フィルタ素子形成は、例えば、画素形成素子のうち少なくとも１個を他の画素形成素子とは異なるアクティべーション状態に保ちつつ実行する。アクティベートされている画素形成素子は例えばセンサで検出する。ディスプレイアセンブリの表面やアクティベートされている画素形成素子は例えば照明器で照明する。
【００１８】
パターン層が形成されるよう複数個の色フィルタ素子をディスプレイアセンブリの表面に形成する際には、例えば、個別アドレッシング可能な複数個のチャネルを備えるプリントヘッドを作動させるようにするとよい。それによってディスプレイアセンブリの表面に輻射ビームが送られ又は画像形成素材が転写されてその面上に画像が発生する過程で、チャネルのうち一部のアクティベートタイミングを調整することができる。
【００１９】
パターン層が形成されるよう複数個の色フィルタ素子をディスプレイアセンブリの表面に形成する際には、或いは、モーションシステムを用いプリントヘッド・ディスプレイアセンブリ間に相対運動を発生させるようにするとよい。その過程で、プリントヘッド・ディスプレイアセンブリ間相対運動、例えばプリントヘッド・ディスプレイアセンブリ間相対速度や走査方向に対するプリントヘッドの向きを調整することができる。
【００２０】
ディスプレイアセンブリの表面に生じている画像の一部をイメージセンサで撮影し、輻射ビームとイメージセンサの位置関係を判別するようにしてもよい。
【００２１】
本発明の他の実施形態は、アドレッシング可能な複数個の画素形成素子を有するディスプレイアセンブリの上に、複数個の色フィルタ素子を形成する方法である。本方法では、まず、ドナー要素をディスプレイアセンブリ、ディスプレイアセンブリを支持部にそれぞれ載せる。次いで、その群に属する個々の画素形成素子のアクティべーション状態が変化するよう、第１群に属する画素形成素子をアクティベートする。更に、それら第１群に属する画素形成素子をセンサで検出し、少なくとも、それら第１群に属する画素形成素子の検出結果を利用し、整列状態情報を導出する。次いで、プリントヘッドを作動させることでビームを輻射させ、その輻射ビームでドナー要素上に成像する。この成像によって、ドナー要素からディスプレイアセンブリへと画像形成素材が転写されていく。その画像形成素材によってそのディスプレイアセンブリ上に複数個の色フィルタ素子が形成されることとなるよう、ドナー要素上への成像に際しては、少なくとも整列状態情報を含む情報に従いプリントヘッドを制御する。
【００２２】
本発明の他の実施形態は、アドレッシング可能な複数個の画素形成素子を有するディスプレイアセンブリの表面に複数個の色フィルタ素子を形成する装置である。本装置は、ディスプレイアセンブリを受容する支持部と、チャネル間で画像構成部分を分担しつつディスプレイアセンブリの表面に画像を発生させることができるよう複数のチャネルが配列されたプリントヘッドと、その群に属する個々の画素形成素子のアクティべーション状態が変化するよう第１群に属する画素形成素子をアクティベートする制御回路と、第１群に属していてアクティベートされている画素形成素子を検出するセンサと、１個又は複数個のコントローラと、を備える。そのコントローラでは、少なくとも第１群に属していてアクティベートされている画素形成素子の検出結果に基づき整列状態情報を導出し、その整列状態情報に従いプリントヘッドを制御することで、ディスプレイアセンブリの表面に複数個の色フィルタ素子を形成させる。例えば、チャネルのうち一部のアクティベートタイミングを調整するようコントローラを構成しておく。プリントヘッド・ディスプレイアセンブリ間に相対運動をもたらすモーションシステムを設け、その運動をコントローラが整列状態情報に従い制御するようにしてもよい。
【００２３】
プリントヘッドは、例えば、走査方向沿いにディスプレイアセンブリの表面を走査しつつ、その面上に複数個の色フィルタ素子を形成する構成にするとよい。コントローラは、整列状態情報に従いアクチュエータを制御することで、走査方向に対するチャネルの配列方向を調整する構成にするとよい。プリントヘッドは、画像形成素材をディスプレイアセンブリの表面に転写させ、そこに複数個の色フィルタ素子を形成する構成にするとよい。例えば、プリントヘッドからビームを輻射させ、そのビームで画像形成素材をドナー要素からディスプレイアセンブリの表面へと転写させることでその面上に画像を発生させ、それによってその面上に複数個の色フィルタ素子を形成させる。
【００２４】
本発明の他の実施形態は、アドレッシング可能な複数個の画素形成素子を有するディスプレイアセンブリに対し、パターン層をなす複数個の色フィルタ素子を整列させる方法である。本方法では、まず、第２群に属する画素形成素子とは異なるアクティべーション状態になるよう、第１群に属する画素形成素子をアクティベートする。次いで、第１群に属していてアクティベートされている画素形成素子、第２群に属する画素形成素子又はその双方を利用し、整列状態情報を導出する。更に、その整列状態情報に従い、パターン層をなす複数個の色フィルタ素子をディスプレイアセンブリに対し整列させる。第１群に属していてアクティベートされている画素形成素子又は第２群に属する画素形成素子のうち、いずれかに該当する少なくとも１個の画素形成素子を、センサを用い検出するとよい。第１群に属していてアクティベートされている画素形成素子又は第２群に属する画素形成素子のうち、いずれかに該当する少なくとも１個の画素形成素子を、撮影装置を用い撮影してもよい。パターン層が形成されるよう、またそのパターン層がディスプレイアセンブリに対し整列するよう、複数個の色フィルタ素子を整列状態情報に従い形成してもよい。
【図面の簡単な説明】
【００２５】
【図１Ａ】従来型色フィルタの一部を示す平面図である。
【図１Ｂ】他の従来型色フィルタの一部を示す平面図である。
【図１Ｃ】電気泳動ディスプレイアセンブリ及び色フィルタを備える従来型電気泳動ディスプレイを示す分解斜視図である。
【図１Ｄ】液晶ディスプレイアセンブリ及び色フィルタを備える従来型液晶ディスプレイを示す分解斜視図である。
【図２Ａ】本発明の一実施形態に係り、ディスプレイアセンブリを装着してその上の画素形成素子群をアクティベートすることができるよう構成されている装置を示す模式的平面図である。
【図２Ｂ】本発明の一実施形態に係る図２Ａの装置、特に複数個の色フィルタ素子からなるパターン層をディスプレイアセンブリに対し整列するよう形成している状態を示す模式的平面図である。
【図２Ｃ】図２Ａに示した装置の一部を示す模式的側面図である。
【図３】本発明の一実施形態に係る方法を示すフローチャートである。
【図４】本発明の一実施形態におけるビームファインダの構成を示す図である。
【図５】図４のビームファインダで発生する信号並びにその第１及び第２ピークを示す図である。
【発明を実施するための形態】
【００２６】
以下、本件技術分野で習熟を積まれた方々（いわゆる当業者）に更なるご理解を頂くため、より詳細且つ具体的に説明する。但し、理解しづらい記述になることを避けるため、周知要素については詳細な説明や図示を省略してある。即ち、以下の説明及び図示は、構成要素を特定するというより説明するためのものである。加えて、別紙図面は実物の均等縮尺図ではなく、その一部に明瞭化のための強調が施されている。
【００２７】
図２Ａ、図２Ｂ及び図２Ｃに、本発明の一実施形態にて使用される装置５０を模式的に示す。この装置５０では、ディスプレイアセンブリ２０に対し整列するよう、複数個の色フィルタ素子１２からなるパターン層を露出プロセスで形成する。露出プロセスは輻射ビームで画像を発生させるプロセスである。露出プロセスで使用されうる画像発生手法は幾つかある。例えば、可修飾成像層の特性乃至性質を変化させることでその上に画像を発生させる、面に対するアブレーション（切除）によってその面に画像を発生させる、画像形成素材を面上に転写させることでその面に画像を発生させる、等といった手法である。これらの露出プロセスは本発明における色フィルタ形成に役立つものであるが、露出プロセス以外の画像形成プロセスを使用して本発明を実施することもできる。例えば、ディスプレイ特性の判別結果に従い画像構成要素形成処理を容易に調整可能な画像形成プロセスであれば、本発明を好適に実施することができる。これに該当する画像形成プロセスとしては、各種のインクジェット印刷プロセス等がある。
【００２８】
本実施形態で使用されているのは熱転写型の露出プロセスである。これは、レーザ等の輻射源（図示せず）を備えるプリントヘッド２６を使用し、ドナー要素２４からディスプレイアセンブリ２０の表面１８へと画像形成素材（図示せず）を転写させるプロセスである。図では面１８を明示するためドナー要素２４が面１８より小さく描かれているが、要素２４は必要に応じ面１８の一部分だけを覆うようにも複数部分を覆うようにも配することができる。また、ヘッド２６は、個別に制御を受けつつ輻射ビームを発するチャネル４０を備えている。チャネル４０の個数は１個でもよいが、本実施形態では、チャネルアレイ４３が形成されるよう複数個のチャネル４０が配列されている。成像用電子回路３８は、それらのチャネル４０によるビームの輻射を、コントローラ６０から与えられる画像データ６２に従い制御する。
【００２９】
プリントヘッド２６から輻射されたビームがディスプレイアセンブリ２０に達すると、その表面１８に画像形成素材が像状に転写される。熱転写プロセスを使用しているので、この露出工程１回で形成できる色フィルタ素子１２のパターンは一種類である。複数の色フィルタ素子パターンを形成するには、使用するドナー要素をそれまでの色のものから次の色のものに換えて露出工程を再実行する。こうした転写で幾つかの色フィルタ素子パターンからなる色フィルタ１０が得られたら、必要に応じそのフィルタ１０を一種類又は複数種類の処理工程に供する。例えば、フィルタ１０を保護するための層等、一種類又は複数種類の層（図示せず）を付加・形成する。
【００３０】
また、プリントヘッド２６で発生し面１８に送られる輻射ビームは、発生させるべき画像を示す画像データ６２に従い像状に変調される。これにより、チャネル４０のうち画像構成要素の形成に関わるべきものが駆動され、そのチャネル４０からビームが輻射される一方で、そうした画像構成要素に関係していないチャネル４０は不要部位に画像が発生しないよう制御される。
【００３１】
本実施形態では、それらのチャネル４０を画像データ６２に従い制御する際、ドナー要素２４が上方から輻射ビームで走査され面１８上に画像が発生するよう、プリントヘッド２６・ディスプレイアセンブリ２０間に相対運動を発生させる。この運動は、ヘッド２６を固定しアセンブリ２０を動かすこと、アセンブリ２０を固定してヘッド２６を動かすこと、或いはヘッド２６とアセンブリ２０を共に動かすことで発生させる。また、本実施形態では、瞬間的な露出と瞬間的な露出の合間にヘッド２６・アセンブリ２０間相対運動を発生させるステップアンドリピート方式に従い、そのヘッド２６に面１８を露出させる。面１８が大きすぎ１回の露出乃至走査で画像を形成しきれない場合は、ヘッド２６に対する露出乃至そのヘッド２６による走査を複数回実行することで、その面１８上にその画像を発生させる。
【００３２】
こうしたプリントヘッド２６・ディスプレイアセンブリ２０間相対運動は様々な機構で実現できる。例えば、実質的に平坦な面上に画像を形成する処理であるので、フラットベッドマーキングシステムを使用することができる。特許文献１（発明者：Ｇｅｌｂａｒｔ）には、ディスプレイパネル露出に適した高速フラットベッドイメージャが記載されている。そのディスプレイアセンブリが十分可撓であれば、ドラム状の支持部の外面又は内面に固定した上で、そのディスプレイアセンブリ上に画像を形成することもできる。
【００３３】
本実施形態の場合、図２Ａに示す如く、可動式の媒体支持部たるキャリア５１にディスプレイアセンブリ２０を載せる。このキャリア５１は、主走査軸４２に対し平行な経路に沿い、順方向４２Ａ及び逆方向４２Ｂ（順方向４２Ａに対して逆の方向）へと、アセンブリ２０を動かせるように構成されている。アセンブリ２０の移動方向はそれら順方向４２Ａ・逆方向４２Ｂ間で随時反転される。本実施形態では、また、そのキャリア５１を跨ぐ支持部５３にプリントヘッド２６が載っている。支持部５３は、副走査軸４４に対し平行な経路に沿い、アウェイ方向４４Ａ及びホーム方向４４Ｂ（アウェイ方向４４Ａに対して逆の方向）へと、ヘッド２６を動かせるように構成されている。ヘッド２６による走査、即ちそのヘッド２６に発する輻射ビームでドナー要素２４を上方から走査し面１８に画像を発生させる動作は、どちらの方向に移動しているときでも行うことができる。この双方向走査は正反対の二移動方向で走査を行う技術であり、露出プロセスの生産性向上に役立っている。
【００３４】
これら、キャリア５１やプリントヘッド２６を動かしているのはモーションシステム５２である。これは単体の又は複合的なモーションシステムであり、相応の駆動部材、伝達部材、案内部材等で構成されている。いわゆる当業者には自明な通り、この装置５０内の様々なシステムを互いに別のモーションシステムで駆動する構成にすることもできる。
【００３５】
このモーションシステム５２を含め、この装置５０を構成するシステム乃至システム群はコントローラ６０によって制御されている。コントローラ６０は単体の又は複合的なコントローラであり、プリントヘッド２６に画像データ６２を送りそのデータ６２に従い輻射ビームを発するようそのヘッド２６を制御する動作、センサや照明器の類を制御する動作、更には本装置５０の外部にあるシステムを制御する動作にも必要に応じ使用される。そうした制御には様々な制御信号乃至様々な制御手法が使用される。コントローラ６０は、必要なソフトウェアを実行できるよう相応のハードウェア、例えばマイクロプロセッサ、オンチップ型のコンピュータ、コンピュータ用ＣＰＵ、その他の適切なマイクロコントローラ等のデータプロセッサ（群）や、アクセシブルなメモリ、論理回路、ドライバ、増幅器、Ａ／Ｄコンバータ、Ｄ／Ａコンバータ、入出力ポート等のハードウェアで構成されている。コントローラ６０を素材ハンドリングシステムと連携させることもできる。
【００３６】
図３に、本発明の一実施形態に係る方法の流れを示す。これは、複数個の色フィルタ素子からなる層をディスプレイアセンブリ２０に対し整列するように形成する方法である。以下、この図中の諸ステップに関し図２Ａ、図２Ｂ及び図２Ｃに示した装置５０を例に説明する（これは専ら説明のためであり他種画像形成装置でも本発明を実施できる）。まず、ステップ１００ではアセンブリ２０をキャリア５１上に装着する。アセンブリ２０は何らかの手法でキャリア５１にしっかり固定する。使用できる固定手段は数多くあるが、例えば各種クランプ部材や低圧源（例えば真空源）を使用するとよい。
【００３７】
ディスプレイアセンブリ２０は、個別にアドレッシング可能な複数個の画素形成素子２２を備えている。画素形成素子２２のアクティべーション状態は、その素子２２をアクティベートすることで個別に制御することができる。アクティべーション状態とは、画素形成素子２２に係る特性乃至状態のうち、その素子２２をアクティベートすると変化乃至変動するもののことである。その例としては、個々の画素形成素子２２を相応の制御信号で制御することで素子２２毎に変化させうる光学特性（透過特性や反射特性）等、アセンブリ２０の動作条件に基づく制御で素子２２毎に変化させうる様々な特性乃至状態がある。ディスプレイを構成する種々の有色画素を形成する際には、その有色画素に対応する個々の画素形成素子２２に対し色フィルタ素子１２を整列させる（或いは画素形成素子２２に対し整列するよう色フィルタ素子１２を形成する）のが望ましい。更に望ましいのは、複数個の色フィルタ素子１２で形成されるパターン層を、それに対応する画素形成素子２２で形成されるパターンに対し整列させる（或いは画素形成素子２２のパターンに対し整列するよう色フィルタ素子１２のパターン層を形成する）ことである。
【００３８】
画素形成素子２２には様々な実現形態があり、その組込先ディスプレイの種類に応じそのいずれかが採用される。図１Ｃに、その例として、電気泳動ディスプレイアセンブリ２０Ａ及び色フィルタ１０を備える従来型電気泳動ディスプレイの分解斜視外観を模式的に示す。図中のアセンブリ２０Ａは、完成したディスプレイにおける所要画素配置に従い行列状に並ぶ複数個の画素形成素子２２Ａを備えている。アセンブリ２０Ａは、電極板８１と電極板８２の間に電気泳動素材８３を配した構造であり、電極板８１及び８２上には素子２２Ａを個別にアクティベートするための電極が幾つか形成されているされている。電極板８１は透明、例えば無色透明であり、素材８３は誘電液８４中に荷電粒子８５を分散させたものである。個々の素子２２Ａの特性を決めているのは、素材８３を仕切り８６で区切ることで形成されるセルである。素材８３をこうして区切ることで、粒子８５の液８４内不要移動を抑えることができる。
【００３９】
色フィルタ１０は、カラーディスプレイ製造時にこの電気泳動ディスプレイアセンブリ２０Ａと併用される部材である。完成したディスプレイを作動させる際には、これらアセンブリ２０Ａ及びフィルタ１０を動作上の条件に従い制御することで、所望色画素のパターンを発生させることができる。例えば、電極板８１・８２間に電圧を印加することで、荷電粒子８５を透明な電極板８１に近づけることや、その電極板８１から遠ざけることができる。粒子８５の色は例えば明色（ホワイト等）、誘電液８４の色は例えば暗色（ブラック等）である。ディスプレイを構成している個別の有色画素をアクティベートするには、その画素に係る画素形成素子２２Ａに対し対応する色フィルタ素子１２を適切に整列させておき、その素子２２Ａに対し選択的に電圧を印加すればよい。具体的には、明色の粒子８５が電極板８１に近づくよう色フィルタ素子１２のうちＲ色のもの（１２Ａ）に対応する画素形成素子２２Ａを制御すると、そのフィルタ素子１２Ａを透過した外光がその粒子８５で反射され戻って来るため、その画素の見た目の色がＲ色となる。逆に、その粒子８５が電極板８２に近づくようその画素形成素子２２Ａを制御すると、色フィルタ素子１２Ａを透過した外光が暗色の液８４によって吸収されるため、その画素の見た目の色が暗色となる。従って、アセンブリ２０Ａをフィルタ１０と併用することで、カラーディスプレイを形成することができる。更に、いわゆる当業者には自明な通り、これ以外の種類の電気泳動ディスプレイアセンブリもカラーディスプレイ用に使用することができる。例えば、使用する粒子の色が異なるもの、使用する粒子の電荷が異なるもの、使用する電極の構成が異なるもの等、様々な種類の電気泳動ディスプレイアセンブリを使用することができる。
【００４０】
液晶ディスプレイアセンブリも本装置で使用することができる。図１Ｄに、液晶ディスプレイアセンブリ２０Ｂ及び色フィルタ１０を備える従来型液晶ディスプレイの分解斜視外観を模式的に示す。このアセンブリ２０Ｂも、完成したディスプレイにおける所要画素配置に従い行列状に並ぶ複数個の画素形成素子２２Ｂを備えている。アセンブリ２０Ｂは透明な電極板９１と薄膜トランジスタ（ＴＦＴ）板９２の間に液晶素材９３の層を配した構造であり、照明器としてバックライト９４も備えている。図示しないが、通常は、バックライト９４・フィルタ１０間に複数個の偏向電極が配置される。個々の画素形成素子２２Ｂは、ＴＦＴ板９２上の画素電極９５及びトランジスタ９６、電極板９１上の共通電極（図示せず）、並びに液晶素材９３の一部で形成されている。フィルタ１０は、カラーディスプレイが形成されるようこのアセンブリ２０Ｂに対し相応に整列されている。完成したディスプレイ上で特定の有色画素を発色させる際には、画素電極９５・共通電極間に多々あり液晶素材９３を組成している分子が再配列されるよう、それら電極間に電圧を印加する。バックライト９４から対応する色フィルタ素子１２へと送られ所望の有色画素を発色させるに至る光の量は、この液晶分子再配列動作で決まってくる。このように、本発明では、ディスプレイアセンブリ２０をフィルタ１０と併用することで、カラーディスプレイを形成することができる。いわゆる当業者には自明な通り、電気泳動ディスプレイアセンブリや液晶ディスプレイアセンブリに限らずその他の種類のディスプレイアセンブリも使用することができる。そのアセンブリ２０が個別に制御可能な複数個の画素形成素子２２を備えていれば、個々の素子２２を個別に制御しそのアクティべーション状態を変化させることで、対応する色フィルタ素子１２越しに且つ画素選択的に有色光を現出させることができる。
【００４１】
また、本実施形態では、ディスプレイアセンブリ２０を構成している個々の画素形成素子２２に一種類又は複数種類のアクティべーション信号６１を供給できるよう、そのアセンブリ２０をキャリア５１上に装着する際に幾個所かで回路を接続する。信号６１は素子２２のアクティべーション状態を画素選択的に変化させるための信号であり、アセンブリ２０に対しキャリア５１への装着後に供給される場合もあれば、装着前に供給される場合もある。例えば、電気泳動ディスプレイアセンブリの多くでは、ひとたびあるアクティべーション状態になったら、励起を受けない限りそのアクティべーション状態が保たれる。従って、そのアセンブリを構成している素子２２のうち幾つかを選択的にアクティベートしてから、そのアセンブリをキャリア５１上に装着することができる。
【００４２】
ステップ１１０では、画素形成素子２２のうち第１群２７に属するものをアクティべーション信号（群）６１に従い選択的にアクティベートすることで、その群２７に属する素子２２のアクティべーション状態を変化させる。具体的には、素子２２の行列内で第２群２８に属している素子２２のアクティべーション状態とは異なるアクティべーション状態になるよう、第１群２７に属する素子２２をアクティベートする。図２Ａ及び図２Ｂでは、明瞭化のため、凡例に従い、第１群２７に属する素子２２と第２群２８に属する素子２２を塗り分けてある。それら素子２２に対し信号６１を供給する制御回路としては、本件技術分野で既知の様々な制御回路を使用可能であるが、それらの素子２２で構成されているディスプレイアセンブリ２０の種類に見合ったものを使用するのが望ましい。また、本実施形態では、信号６１をコントローラ６０から画素形成素子２２へと送るようにしているが、コントローラ６０以外のコントローラ（本装置５０の機能を制御しないコントローラでもよい）から素子２２へと送る構成にすることもできる。いずれにせよ、第１群２７に属する素子２２をアクティベートすることで、後工程にて、色フィルタ素子１２からなる１個又は複数個のパターン層をアセンブリ２０上に好適に形成することが可能となる。本実施形態では第１群２７に属する素子２２で幾つかのカラムが形成されており、アクティベートによってそれらのアクティべーション状態が変化している。即ち、アクティベートされている素子２２が、完成したディスプレイ例えばストライプ型ディスプレイに形成されるべき色別画素カラムに対応付けうるカラムを形成している。
【００４３】
個々の画素形成素子２２は、アクティベートによって様々なアクティべーション状態にすることができる。例えば、対応する色フィルタ素子１２越しに有色光が見えるオン状態になるよう、画素形成素子２２をアクティベートすることができる。対応する色フィルタ素子１２越しに有色光がほとんど見えないオフ状態になるよう、素子２２をアクティベートすることもできる。ディスプレイの種類によっては漏れ現象が生じるので、オフ状態になるよう素子２２をアクティベートしたときでも、オン状態になるようアクティベートしたときの光量とは違うものの、なお幾ばくかの光が見えることがある。更に、そのアクティべーション状態が様々なアクティべーション状態間で切り替わり、対応するフィルタ素子１２越しに見える光の量が変化するよう、指定された画素形成素子２２をアクティベートすることもできる。例えば、三通り以上のアクティべーション状態を利用し、様々な階調値乃至グレースケール値を発現させることができる。
【００４４】
本実施形態では、画素形成素子２２のアクティべーション状態が第１群２７及び第２群２８のうち一方でオン状態になっているとき、他方でオフ状態になるようにしている。即ち、第１群２７に属する素子２２と第２群２８に属する素子２２を互いに別にアクティベートして別々のアクティべーション状態にすることで、第１群２７と第２群２８を区別できるようにしている。例えば、アクティべーション状態を別々にすることで、第１群２７に属する素子２２と第２群２８に属する素子２２とで光の種類、色又は量を違えることができる。
【００４５】
ステップ１２０では、一群又は複数群の画素形成素子２２を検出した上で、複数個の色フィルタ素子１２によるパターン層に関し、ディスプレイアセンブリ２０に対する目標整列状態を決定する。画素形成素子２２の検出は、ある特定のアクティべーション状態を呈している素子２２を検出する、複数通りのアクティべーション状態それぞれについて素子２２を検出する、アクティべーション状態が変化した素子２２を検出する、アクティべーション状態が変化していない素子２２を検出する等といった形態で行える。本実施形態では、少なくとも、第１群２７に属していてアクティベートされている画素形成素子２２を検出し、例えばそれらの素子２２についての幾何情報を導出する。本装置５０は、図中「（ＳＮ）」で示した通り、そうした素子２２を検出可能なセンサ５５を備えている。本実施形態では、面１８上にドナー要素２４を配置するのに先立ち、そのセンサ５５で個々の素子２２を検出する。面１８上にドナー要素２４を配置した後に検出する構成にすることもできる。
【００４６】
センサ５５としては、画素形成素子２２で生じるアクティべーション状態のうち、目的とする状態を他の状態より容易に検出可能なものを使用する。どのアクティべーション状態も同程度の容易さで検出できるものを使用してもよい。センサ５５は例えば光学部品や電気部品で構成されており、本実施形態ではＣＣＤセンサを備えた撮影装置（ＣＣＤカメラ）をセンサ５５として使用している。ＣＣＤカメラを使用しているので、そのアクティべーション状態が変化した素子２２等、様々な素子２２を撮影することができる。また、本実施形態ではセンサ５５がビジョンシステム５４の一部を構成している。ビジョンシステム５４はプリントヘッド２６と共に支持部５３沿いに動くよう構成されており、センサ５５による素子２２の検出を支援する様々な部材を備えている。図中に「（ＭＳ）」で示した顕微鏡５６や「（ＩＬ）」で示した照明器５７である。照明器５７にはディスプレイアセンブリ２０方向に輻射する輻射源が備わっているので、照明器５７を使用することで、面１８を照明すること、例えばセンサ５５で検出したい素子２２を照明することができる。こうした照明器５７には幾つかの点で必要性がある。例えば、電気泳動ディスプレイ等の反射型ディスプレイアセンブリで素子２２に生じるアクティべーション状態のなかには、外部照明無しでは検出できないものがある。また、液晶ディスプレイアセンブリ等、内部光源を備えるディスプレイアセンブリ２０でも、外部照明があれば、指定された素子２２からセンサ５５に届く光を強くし、そのセンサ５５で容易に検出できるレベルにすることができる。そのため、本実施形態では照明器５７にフラッシュ機能を持たせている。
【００４７】
本実施形態では、こうしたセンサ５５で個々の画素形成素子２２を検出する際、そのセンサ５５をその素子２２に近づけるようにしている。この相対運動は、センサ５５、ディスプレイアセンブリ２０の装着先キャリア５１、或いはその双方を動かすことで実行する。センサ信号５８は、個々の素子２２が検出されるのに応じセンサ５５・コントローラ６０間で伝送される。エンコーダ信号（群）５９はキャリア５１やセンサ５５の位置を識別するための信号であり、モーションシステム５２で生成されてコントローラ６０へと送られる。
【００４８】
本実施形態では、また、第１群２７に属する個々の画素形成素子２２を見つけ出すため、照明器５７及びセンサ５５の動作をモーションシステム５２と同期させている。具体的には、その一部が顕微鏡５６下に来るようディスプレイアセンブリ２０をモーションシステム５２で位置決めした上で、照明器５７を作動させて所定距離範囲内をフラッシュ光で照明し、照明されている間にセンサ５５内のＣＣＤで撮影を行うようにしている。モーションシステム５２を高速で動作させる際には、発生させるフラッシュ光を明るめにする。本実施形態では、プリントヘッド２６及びそれに付随するビジョンシステム５４を副走査軸４４に沿いこうして様々な位置に位置決めする。更に、その副走査位置にてモーションシステム５２を作動させ、主走査軸４２に対し平行な経路沿いにアセンブリ２０を動かし、ビジョンシステム５４で撮影を行う。アセンブリ２０上にある所定の諸点につき一連の画像を得るこのプロセスのことを、ここではダイナミック撮影と呼んでいる。
【００４９】
使用する顕微鏡５６の視野が通常は狭いため、本装置５０では、第１群２７に属する個々の画素形成素子２２を見つけ出すべく多画像探索を実行する。これは、米国カリフォルニア州リバモア所在のＡｄｅｐｔ  Ｔｅｃｈｎｏｌｏｇｉｅｓ，Ｉｎｃ．によって頒布されているＡｄｅｐｔ  Ｈｅｘｓｉｇｈｔ（商品名）等の幾何測位ソフトウェアを使用し、個々の撮影済画像に特定の素子２２が現れているか否かを判別してその位置を求めることで実行する。そのソフトウェアには、素子２２の現れ方、撮影済画像の座標値等を表す情報を入力する。特定の素子２２における特定のアクティべーション状態の現れ方を示す情報を、そのソフトウェアに組み込んでおくこともできる。
【００５０】
探索の際には、通常、ビジョンシステム５４を最初の副走査位置に動かした上で、ディスプレイアセンブリ２０を主走査軸４２に対し平行な経路沿いに動かしつつセンサ５５でダイナミック撮影を行い、１カラム分の画像を取得する。目的とする画素形成素子２２の一部しか検出されていない（或いは素子２２が全く検出されていない）と幾何測位ソフトウェアで判別されたら、モーションシステム５２によりビジョンシステム５４を次の副走査位置へと動かし、その位置でダイナミック撮影を行い次の１カラム分の画像を取得してその情報を解析する。この動作は所望個数の素子２２の所在が特定されるまで繰り返される。
【００５１】
従って、この探索動作が繰り返されるのは、ある特定のアクティべーション状態を呈している画素形成素子２２が全て見つかるまで、或いは所定個数見つかるまでである。それによって幾つかの素子２２が検出されたら、その素子２２に関する情報を求め、その情報に基づき又はその情報を手がかりとして、他の素子２２の位置を導出又は推定する。こうしてある特定のアクティべーション状態を呈している素子２２についてのデータ、例えばその推定位置を示す情報が得られたら、コントローラ６０でモーションシステム５２を制御してその推定位置へとビジョンシステム５４を移動させる。即ち、探索無しで又は僅かな探索で、目的とする素子２２が顕微鏡５６の視野内に入る位置へとビジョンシステム５４を移動させる。こうした手順を使用している分、それらの素子２２を迅速に撮影することができる。
【００５２】
情報を解析するのは、一つには、ディスプレイアセンブリ２０における画素形成素子２２の配列に幾何学的な歪が生じているか否かを判別するためである。その種の歪は幾種類かある。その発生原因は、例えば、アセンブリ２０の製造に関わる素材的要因及び工程的要因や、温度、湿度等の環境的要因である。
【００５３】
ステップ１３０では、個々の画素形成素子２２の期待寸法又は期待形状に対する歪や、配列されている素子２２の位置的な目標整列状態に対する歪が補償されるよう、コントローラ６０で補償情報６３を発生させる。コントローラ６０は、その情報６３に基づき調整しつつ個々の色フィルタ素子１２を形成させることで、そのディスプレイアセンブリ２０を構成している画素形成素子２２に係る歪を補償する。この補償は線形的又は非線形的な様々な手法で実行される。具体的には、主走査歪を補償するため、プリントヘッド２６を構成している個々のチャネル４０のアクティベートタイミングを調整する。この調整では、個々のチャネル４０を制御し、該当するチャネル４０のアクティベートタイミングを他のチャネル４０のアクティベートタイミングに比し進ませ又は遅らせる。すると、画像の形成タイミングが画像部分毎にずれる。ヘッド２６は副走査軸４４に対し平行な経路沿いに動いていくので、このチャネル４０毎アクティベートタイミング調整はその移動のたびに実行する。移動先の位置によってその周辺での歪の現れ方が異なるので、エンコーダ信号５９を参照して位置を識別する。
【００５４】
本実施形態では、副走査歪を補償するため、ディスプレイアセンブリ２０に対するプリントヘッド２６の運動も調整する。調整される相対運動のうち一つは、画像を発生させるプロセスにおけるヘッド２６・アセンブリ２０間相対速度である。例えば、ドラムを利用した走査システムのなかには、ドラム及びその上に装着されている記録媒体を回転させつつ、そのドラムの回転軸に対し平行な経路沿いにプリントヘッドを並進させるものがある。この種のシステムでは画像がヘリカルスワス単位で発生するので、プリントヘッド並進速度を調整することで、画像が所望寸法になるようヘリカルスワスを調整することができる。この速度調整の仕方には均一調整と不均一調整があり、形成される画像全体の寸法調整には均一調整、画像の局所的歪の補償には不均一調整が適している。特に、経路沿いの諸点で局所的速度調整を行うことで、それらの点における歪を補償することができる。本実施形態では、主走査軸４２に対し平行な経路沿いに搬送されていくアセンブリ２０をヘッド２６で走査しながら、支持部５３に沿ったヘッド２６の動きにこうした調整を施している。即ち、その調整によって走査経路を修正し、その走査で生成される画像の一部領域における歪を補償するようにしている。
【００５５】
更に、画素形成素子２２は何らかの配置パターンを呈するものであり、そのパターンは多くの場合規則的なものである。規則的なパターンとは、複数個の素子２２が一通り又は複数通りの方向に沿い規則的に並ぶパターン、即ち個々の素子２２に備わる共通の基準（その素子２２の辺、頂点、中心点等）がその方向に沿い等間隔で並ぶパターンである。この間隔はピッチと呼ばれている。画素形成素子２２に対し色フィルタ素子１２を適正に整列させるには、前者のピッチに対し後者のピッチを一致させねばならない。並んでいる画素形成素子２２のピッチは、その素子２２を検出して得られた情報を解析することによって検出することができる。そのピッチ検出値は往々にしてその期待値からずれている。多々ある原因のうち一つは、温度、湿度等の環境的要因によってディスプレイアセンブリ２０の全体寸法が変化し、素子２２のピッチにずれが生じることである。そこで、本実施形態では、補償情報６３に基づき補償指令を発生させ、その指令に従いアクチュエータ（図示せず）を作動させることで、走査方向に対するプリントヘッド２６の向きを調整するようにしている。こうしてヘッド２６の向きを調整することで、そのヘッド２６のイメージング分解能が変化する。従って、画素形成素子２２のパターンに係るピッチ検出値と実質的に一致するピッチで配置されるよう、色フィルタ素子１２を形成することができる。更に、図示しない光学ズームシステムを補償指令に従い制御することでも、ヘッド２６のイメージング分解能を調整し、適正ピッチで配置されるようフィルタ素子１２を形成することが可能である。例えば、補償指令の一部として、アクチュエータを作動させて光学ズームシステム内レンズ位置を変化させる指令を発生させればよい。
【００５６】
補償情報６３には、上掲の補償に関する情報に限らず、他の補償に関する情報も含めることができる。その一例は、装置誤差への対処に必要な補償に関する情報である。装置誤差とは、本装置５０を構成している部材の機械的配置における不正確さ、例えば支持部の不整や位置検出用エンコーダの検出誤差のことである。これらを含め、装置誤差は、アクティベートタイミングや相対運動の調整手法を工夫することで、検出して補償することができる。そのため、本実施形態では、情報６３に補償マップを含めるようにしている。補償マップは、ディスプレイアセンブリ２０に対し整列するよう色フィルタ素子１２のパターン層を形成する際、プリントヘッド２６・アセンブリ２０間に発生する二次元相対運動をカバーするマップである。これを使用することで、アセンブリ２０内で発生する歪等、あらゆる装置誤差を補償することができる。また、本実施形態で使用している補償マップには副走査歪補償マップと主走査歪補償マップがある。副走査歪補償マップ上の情報は、コントローラ６０からモーションシステム５２に送られ、各回走査におけるヘッド２６・キャリア５１間相対運動経路を定めるのに使用される。主走査歪補償マップは成像用電子回路３８に送られ、ヘッド２６から輻射されるビームそれぞれの遅延時間を設定するのに使用される。
【００５７】
ステップ１４０では本装置５０を校正するルーチンを実行する（必須ではないため破線で示してある）。これを実行するのは、ある特定のアクティべーション状態を呈している一群の画素形成素子２２がステップ１２０でビジョンシステム５４を用い検出されてはいるが、画像を発生させるための輻射ビームとセンサ５５内ＣＣＤの視野との位置関係が判らないと、それらの画素形成素子２２に対する個々の色フィルタ素子１２の位置関係を正確に整えることができないからである。いわゆる当業者には自明な通り、この位置関係は様々な要因によって左右される。例えば、ビームの輻射方向は、プリントヘッド２６内温度変動やプリントヘッド２６外温度変動の影響を受けやすく、構成部材温度の経時変化に伴いふらつくものである。この現象は熱ドリフトと呼ばれている。
【００５８】
本実施形態では、この位置関係を求めるためビームファインダ６４を使用している。図２Ｃに本装置５０の一部断面を模式的に示す。図示の通り、ビームファインダ６４はキャリア５１の下方に位置している。
【００５９】
図４に、本実施形態におけるビームファインダ６４の構成を示す。このビームファインダ６４は幾つかの領域を定めるマスク６５を備えている。定められているのは副走査位置ターゲット６６、センサターゲット６７、主走査位置ターゲット６８等の領域である。マスク６５は、それらターゲット６６〜６８間の位置関係を正確に定めるためフォトリソグラフィ技術等で形成されている。
【００６０】
本実施形態では、副走査位置ターゲット６６が領域４５、主走査位置ターゲット６８が領域４６、センサターゲット６７が領域４７によって形成されている。図示例では領域４５及び４６が各１個であるが、副走査軸４４に対し直交する方向に沿い複数個の領域４５を設けることや、副走査軸４４に対し所定角度をなすよう複数個の領域４６を設けることもできる。図示しないが、領域４５及び４６のそばにはフォトダイオードがあり、領域４７のそばには光源がある。フォトダイオードは輻射に曝されると相応の信号を出力し、光源はコントローラ６０からの指示で発光して領域４７を照明する。
【００６１】
輻射ビームとセンサ５５の視野との位置関係を求める際には、ビームファインダ６４のそばでプリントヘッド２６とキャリア５１を相対運動させる。即ち、図４及び図５に示す如く、副走査軸４４に対して平行な経路沿いにヘッド２６を動かしながら、図示しない１本又は複数本の輻射ビームに対しビームファインダ６４を露出させる。こうすると、図４に示す如く、その輻射ビーム（群）でファインダ６４が経路３９沿いに横断走査され、ファインダ６４を横断していく輻射ビーム（群）が副走査位置ターゲット６６のそばにあるフォトダイオードや主走査位置ターゲット６８のそばにあるフォトダイオードによって検出されることとなる。そのうち、輻射ビーム（群）が副走査位置ターゲット６６を横断しているときには、そのターゲット６６のそばにあるフォトダイオードからもたらされる信号が強まるため第１ピーク４８が発生する。このピーク４８はその輻射ビーム（群）の副走査位置に対応している。輻射ビーム（群）が主走査位置ターゲット６８を横断しているときには、そのターゲット６８のそばにあるフォトダイオードからもたらされる信号が強まるため第２ピーク４９が発生する。このピーク４９はその輻射ビーム（群）の主走査位置に対応している。図５に模式的に示したのはこれら第１ピーク４８及び第２ピーク４９の例である。
【００６２】
同図に模式的に示すように、第１ピーク４８には強度平坦域２００がある。その平坦域２００は副走査点２０１から始まり副走査点２０２で終わっている。副走査点２０１は、プリントヘッド２６から輻射された１本又は複数本のビーム全体が副走査位置ターゲット６６のそばのフォトダイオードで最初に捉えられた副走査位置に対応している。副走査点２０２は、そのヘッド２６から輻射された１本又は複数本のビーム全体が副走査位置ターゲット６６のそばのフォトダイオードで最後に捉えられた副走査位置に対応している。コントローラ６０では、輻射ビーム（群）による副走査位置を正確に求めるため、モーションシステム５２に備わる副走査エンコーダから信号を受け取り利用している。
【００６３】
同じく同図に模式的に示すように、第２ピーク４９には強度平坦域２０５がある。その平坦域２０５は副走査点２０６から始まり副走査点２０７で終わっている。副走査点２０６は、プリントヘッド２６から輻射された１本又は複数本のビーム全体が主走査位置ターゲット６８で最初に捉えられた副走査位置に対応している。副走査点２０７は、そのヘッド２６から輻射された１本又は複数本のビーム全体が主走査位置ターゲット６８で最後に捉えられた副走査位置に対応している。コントローラ６０では、モーションシステム５２に備わる副走査エンコーダから得られる信号のうちそれらの副走査位置に係るものを解析し、第１ピーク４８・第２ピーク４９間の距離２１０を求める。この距離２１０は、主走査位置ターゲット６８を過ぎるときの輻射ビーム（群）の主走査位置によって変化する。領域４５が方形、領域４６が平行四辺形であるので領域４５・４６間の間隔も主走査位置によって変化する。コントローラ６０では、距離２１０を領域４５・４６間の間隔に照らすことで、その輻射ビーム（群）の主走査位置を求めるようにしている。
【００６４】
１本又は複数本の輻射ビームについてその副走査位置及び主走査位置が求まったら、コントローラ６０はセンサターゲット６７を照明させ、センサ５５及び顕微鏡５６を用いてターゲット６７の所在を検出する。コントローラ６０は、モーションシステム５２内の副走査エンコーダ及び主走査エンコーダからもたらされる信号に基づき、そのときセンサ５５が占めている位置を正確に求め、そのセンサ５５と輻射ビーム（群）との位置関係を求める。いわゆる当業者には自明な通り、こうした位置関係を他の手法乃至装置で求めることも可能であり、そうした構成も本発明の技術的範囲に収まるものである。また、本実施形態では、求まった位置関係に従い補償情報６３を修正する。具体的には、その位置関係の誤差が補償されるよう二次元オフセット行列を補償マップに組み入れる。なお、本実施形態では、主走査軸４２及び副走査軸４４で定義される基準座標系に従いそうした位置関係を表すようにしている。
【００６５】
ステップ１５０では、複数個の画素形成素子２２からなる幾つかのパターンに対し整列するよう、複数個の色フィルタ素子１２からなる幾つかのパターン層を形成する。図２Ｂに、Ｒ色に対応する画素形成素子２２に対し所望の如く整列するよう形成された複数個のＲ色フィルタ素子１２Ａを示す。本実施形態では、プリントヘッド２６から輻射されるビームに曝し、ドナー要素２４からディスプレイアセンブリ２０の表面１８へと画像形成素材を転写させることによって、複数個のＲ色フィルタ素子１２Ａからなるパターン層をその面１８上に形成している。これとは違い、インクジェット法等で面１８上にフィルタ素子１２のパターン層を形成する形態でも、本発明を実施することができる。また、図２Ｂでは、ドナー素材の転写で途切れなきストライプ状のＲ色フィルタ素子１２Ａが形成されている。これとは違い、アイランド状のフィルタ素子１２を形成する形態でも、本発明を実施することができる。なお、図２Ｂでは、明瞭化のため凡例に従いＲ色フィルタ素子１２Ａにハッチングを施してある。
【００６６】
本実施形態では、第１群２７に属する画素形成素子２２に正しく対応するよう色フィルタ素子１２Ａを形成したら、第１群２７に属する素子２２を利用して求めた整列状態情報に基づき、第２群２８に属する素子２２に対し整列するよう他の色フィルタ素子１２、例えばＲ色フィルタ素子１２Ａとは別の色の色フィルタ素子１２を形成する。なお、本実施形態では、第１群２７に属する画素形成素子２２のアクティべーション状態をステップ１１０にて変化させた後、そのアクティべーション状態を維持したままＲ色フィルタ素子１２Ａが形成されているが、本発明はそれ以外の形態で実施することもできる。何故なら、整列状態情報の導出から色フィルタ素子１２の形成までの間に、画素形成素子２２のアクティべーション状態を再変化させても支障ないからである。
【００６７】
また、本実施形態では、画像データ６２に従いプリントヘッド２６を制御して輻射ビームを発生させつつ面１８を走査する際、各回走査に係る様々な走査パラメタを補償情報６３に従い調整することで、対応する画素形成素子２２に対し正しく整列するようＲ色フィルタ素子１２Ａを形成している。他の色フィルタ素子１２、例えばＧ色フィルタ素子１２ＢやＢ色フィルタ素子１２Ｃも、同様に、それらに対応するデータ６２及び情報６３に従い形成している。当該他の色フィルタ素子１２を形成するとき使用する情報６３は、先に素子１２Ａを形成する際に使用していたものと同じ情報でも、それを修正したものでもかまわない。情報６３を毎回新規生成して素子１２のパターンを形成してもよい。図３中の諸ステップはその性質上例示的なものであるので、本発明を実施するに当たり、それらのステップの内容が修正されることや実行順序が変更されることもあり得る。
【００６８】
プログラム製品９７は、コントローラ６０で実行したとき、本発明に係る方法が実現されるように作成されている。即ち、コントローラ６０等のコントローラで実行したとき、本発明の実施に必要な諸機能が実現されるように作成されている。それらの機能のうち一つは、複数個の画素形成素子２２からなる所定の画素形成素子群に向けにアクティべーション用の指令を発行し、それらの素子２２のアクティべーション状態を変化させる機能である。他の一つは、センサ５５を制御してそれらの素子２２（例えばある特定のアクティべーション状態を呈している素子２２）を検出する機能である。他の一つは、少なくとも検出された素子２２に基づき整列状態情報を導出する機能である。更に他の一つは、少なくとも検出された素子２２に基づき補償情報６３を導出する機能である。ある特定のアクティべーション状態を呈している画素形成素子２２の検出で得られる情報は、パターン層をなす複数個の色フィルタ素子１２をディスプレイアセンブリ２０に対し整列させる手がかりとして有用である。プログラム製品９７は、アセンブリ２０を構成している画素形成素子２２のうち選択的にアクティベートされたものを検出して得られる情報に基づき、本装置５０又はその他の画像発生装置をコントローラ６０に制御させることで、アセンブリ２０に対し整列するよう色フィルタ素子１２のパターンを形成させる。
【００６９】
プログラム製品９７は、一群のコンピュータ可読信号を担持可能な媒体等によって担持されている。そのコンピュータ可読信号の一部は、コンピュータ用プロセッサで実行可能な指令、特にそのプロセッサで実行したとき本発明に係る方法が実行されることとなる指令である。こうした製品９７は様々な形態で提供することができる。例えば、フロッピー（商標）ディスク、ハードディスクドライブ等の磁気記録媒体や、ＣＤ−ＲＯＭ、ＤＶＤ等の光記録媒体や、ＲＯＭ、フラッシュＲＡＭ等の電子データ記録媒体を初め、様々な物理媒体で提供することができる。媒体上の指令に圧縮や暗号化を施してもよい。
【００７０】
チャネル４０は、一次元（又は二次元）のアレイをなすようプリントヘッド２６上に配置されている。その光源としては赤外線レーザを使用している。具体的には、従来からレーザ誘起熱転写プロセスで使用されている総出力パワー＝約５０Ｗ、波長＝８３０ｎｍの１５０μｍエミッタ付赤外線レーザダイオードアレイである。但し、赤外線レーザに限らず可視光レーザでも、本発明を実施することができる。どのようなレーザ光源を使用するかは、画像を発生させたい媒体の特性に従い定めることができる。
【００７１】
以上、その好適な実施形態を参照して本発明を具体的且つ詳細に説明したが、自明な通り、本発明はそれらを変形乃至改良した形態でも実施することができる。そうした形態も、本発明の技術的範囲内に包含されると解されるべきである。
【符号の説明】
【００７２】
１０  色フィルタ、１２  色フィルタ素子、１２Ａ  レッド（Ｒ）色フィルタ素子、１２Ｂ  グリーン（Ｇ）色フィルタ素子、１２Ｃ  ブルー（Ｂ）色フィルタ素子、１３，１８  表面、１５  色フィルタ用ブラックマトリクス（マトリクス）、１７  マトリクスセル（セル）、２０  ディスプレイアセンブリ、２０Ａ  電気泳動ディスプレイアセンブリ、２０Ｂ  液晶ディスプレイアセンブリ、２２  画素形成素子、２２Ａ  電気泳動ディスプレイ画素形成素子、２２Ｂ  液晶ディスプレイ画素形成素子、２４  ドナー要素、２６  プリントヘッド、２７  画素形成素子の第１群、２８  画素形成素子の第２群、３８  成像用電子回路、３９  経路、４０  チャネル、４２  主走査軸、４２Ａ  順方向、４２Ｂ 逆方向、４３  チャネルアレイ、４４  副走査軸、４４Ａ  アウェイ方向、４４Ｂ ホーム方向、４５〜４７  領域、４８  第１ピーク、４９  第２ピーク、５０  装置、５１  キャリア、５２  モーションシステム、５３  支持部、５４  ビジョンシステム、５５  センサ、５６  顕微鏡、５７  照明器、５８  センサ信号、５９  エンコーダ信号、６０  コントローラ、６１  アクティべーション信号、６２  画像データ、６３  補償情報、６４  ビームファインダ、６５  マスク、６６  副走査位置ターゲット、６７  センサターゲット、６８  主走査位置ターゲット、８１，８２，９１  電極板、８３  電気泳動素材、８４  誘電液、８５  荷電粒子、８６  仕切り、９２  薄膜トランジスタ（ＴＦＴ）板、９３  液晶素材、９４  バックライト、９５  画素電極、９６  トランジスタ、９７  プログラム製品、１００〜１５０  ステップ、２００，２０５  強度平坦域、２０１，２０２，２０６，２０７  副走査点、２１０  距離。
【図１Ａ】
0005449323.tif 000002
【図１Ｂ】
0005449323.tif 000003
【図１Ｃ】
0005449323.tif 000004
【図１Ｄ】
0005449323.tif 000005
【図２Ａ】
0005449323.tif 000006
【図２Ｂ】
0005449323.tif 000007
【図２Ｃ】
0005449323.tif 000008
【図３】
0005449323.tif 000009
【図４】
0005449323.tif 000010
【図５】
0005449323.tif 000011